(57)【要約】      （修正有）【課題】被検者が動いたとしても、生体情報を安定して取得する。【解決手段】生体情報検出装置は、光源１１０と、光源１１０から出射され、被検者の被検部から到達した光を検出して電気信号を出力する光検出器１４０と、光検出器１４０から出力された前記電気信号に基づいて、被検部における血流に関する生体情報を生成して出力する演算回路２００とを備える。演算回路２００は、光検出器１４０と被検部との距離が所定の距離よりも長いとき、前記生体情報の信号強度を大きくして出力する。【選択図】図１Ａ
2017144225.tif 000002
【特許請求の範囲】
【請求項１】
被検者の被検部に照射するための照射光を出射する光源と、
前記被検部から到達した光を検出し、前記光に対応する電気信号を出力する光検出器と、
前記電気信号に基づいて、前記被検部内の対象領域における血流に関する生体情報の信号を生成する演算回路と、
を備え、
前記光検出器は、イメージセンサであり、
前記電気信号は、前記イメージセンサによって取得される画像信号を含み、
前記演算回路は、前記画像信号に基づく画像認識によって、基準の向きからの前記被検部の向きの傾きの大きさを検出し、前記被検部の向きの傾きの大きさに応じて、前記対象領域を決定する、
生体情報検出装置。
【請求項２】
前記演算回路は、前記対象領域の形状、および前記被検部における前記対象領域の位置からなる群から選択される少なくとも１つを決定する、
請求項１に記載の生体情報検出装置。
【請求項３】
前記演算回路は、さらに、前記被検部の向きの傾きの大きさが変化したか否かを判定し、前記被検部の向きの傾きの大きさが変化したと判定された場合、変化後の前記被検部の向きの傾きの大きさに応じて、前記対象領域の形状を変化させる、
請求項１に記載の生体情報検出装置。
【請求項４】
前記演算回路は、さらに、前記被検部の向きの傾きの大きさが変化したか否かを判定し、前記被検部の向きの傾きの大きさが変化したと判定された場合、変化後の前記被検部の向きの傾きの大きさに応じて、前記被検部における前記対象領域の位置を変化させる、
請求項１に記載の生体情報検出装置。
【請求項５】
前記被検者は複数の特徴点を有しており、
前記演算回路は、
前記画像信号から前記複数の特徴点を抽出し、
前記画像信号における前記複数の特徴点の位置に基づいて、前記被検部の向きの傾きの大きさを検出する、
請求項１に記載の生体情報検出装置。
【請求項６】
前記演算回路は、
前記被検部の向きの傾きの大きさに基づいて、前記被検部の内部における前記光の伝播経路を予測し、
予測した前記伝播経路に基づいて、前記対象領域を決定する、
請求項５に記載の生体情報検出装置。
【請求項７】
前記演算回路は、
前記被検部の向きの傾きの大きさおよび予測した前記伝播経路からなる群から選択される少なくとも一方に基づいて、前記被検部から出射する前記光の強度または前記光の強度の基準値からの変化の割合を予測し、
予測した前記光の強度または前記光の強度の変化の割合が第１の値よりも小さいとき、前記生体情報の前記信号の強度を大きくする、
請求項６に記載の生体情報検出装置。
【請求項８】
前記演算回路は、予測した前記光の強度または前記光の強度の変化の割合が第２の値よりも大きいとき、前記生体情報の前記信号の強度を小さくする、
請求項７に記載の生体情報検出装置。
【請求項９】
前記光検出器は、複数の時刻において、前記電気信号を出力し、
前記演算回路は、前記複数の時刻において前記光検出器から出力された前記電気信号に基づいて、経時的に前記生体情報の前記信号を生成する、
請求項１から８のいずれかに記載の生体情報検出装置。
【請求項１０】
前記演算回路は、さらに、前記電気信号に基づいて、前記被検部と前記光検出器との距離を検出し、
前記演算回路は、前記距離が所定の距離よりも長いとき、前記生体情報の前記信号の強度を大きくする、
請求項１に記載の生体情報検出装置。
【請求項１１】
前記演算回路は、前記距離が前記所定の距離よりも短いとき、前記生体情報の前記信号の強度を小さくする、
請求項１０に記載の生体情報検出装置。
【請求項１２】
前記演算回路は、さらに、前記距離が変化したか否かを判定し、前記距離が変化したと判定された場合、前記生体情報の前記信号の強度を、前記距離が大きいほど大きい値に変化させる、
請求項１０に記載の生体情報検出装置。
【請求項１３】
前記演算回路は、前記イメージセンサによって取得された前記画像信号のうち、前記被検部に相当する画像信号に含まれる１つまたはそれ以上の画素ごとに、前記距離の検出、前記生体情報の前記信号の生成、および前記生体情報の前記信号の強度の調整を行う、
請求項１０に記載の生体情報検出装置。
【請求項１４】
前記所定の距離は、ある時点において前記演算回路により検出された前記距離である、
請求項１０から１３のいずれかに記載の生体情報検出装置。
【請求項１５】
前記所定の距離は、前記生体情報の前記信号の生成を開始した時点において前記演算回路により検出された前記距離である、
請求項１０から１３のいずれかに記載の生体情報検出装置。
【請求項１６】
前記照射光はパルス光であり、
前記演算回路は、前記光源が前記パルス光を出射してから前記光検出器が前記パルス光を検出するまでの時間に基づいて、前記距離を検出する、
請求項１０から１５のいずれかに記載の生体情報検出装置。
【請求項１７】
前記被検部までの距離を検出する測距センサをさらに備え、
前記演算回路は、前記測距センサによって検出された前記距離に基づいて、前記生体情報の前記信号の強度を調整する、
請求項１０から１５のいずれかに記載の生体情報検出装置。
【請求項１８】
前記光は、６５０ｎｍ以上９５０ｎｍ以下の波長の成分を含む、
請求項１から１７のいずれかに記載の生体情報検出装置。
【請求項１９】
前記被検部は前記被検者の額であり、
前記生体情報は、前記被検者の大脳皮質における血流に関する情報である、
請求項１から１８のいずれかに記載の生体情報検出装置。
【請求項２０】
生体情報検出装置であって、
被検者の被検部に照射するための照射光を出射する光源と、前記被検部から到達した光を検出して前記被検部の画像信号を出力するイメージセンサとを備えた装置から受け取った前記画像信号に基づいて、前記被検部内の対象領域における血流に関する生体情報の信号を生成する演算回路を備え、
前記演算回路は、前記画像信号に基づく画像認識によって、基準の向きからの前記被検部の向きの傾きの大きさを検出し、前記被検部の向きの傾きの大きさに応じて、前記対象領域を決定する、
生体情報検出装置。
【請求項２１】
被検者の被検部に照射するための照射光を出射する光源と、前記被検部から到達した光を検出して前記被検部の画像信号を出力するイメージセンサと、を備えた装置に電気的に接続されて使用される生体情報検出装置の制御方法であって、前記生体情報検出装置に、
前記イメージセンサから出力された前記画像信号に基づいて、前記被検部における血流に関する生体情報を生成させ、
前記画像信号に基づく画像認識によって、基準の向きからの前記被検部の向きの傾きの大きさを検出させ、
前記被検部の向きの傾きの大きさに応じて、前記被検部における前記生体情報を生成する対象領域を決定させる、
制御方法。
【請求項２２】
被検者の被検部に照射するための照射光を出射する光源と、前記被検部から到達した光を検出して前記被検部の画像信号を出力するイメージセンサと、を備えた装置に電気的に接続されて使用される生体情報検出装置のコンピュータに実行させるプログラムであって、前記コンピュータに、
前記イメージセンサから出力された前記画像信号に基づいて、前記被検部における血流に関する生体情報を生成させ、
前記画像信号に基づく画像認識によって、基準の向きからの前記被検部の向きの傾きの大きさを検出させ、
前記被検部の向きの傾きの大きさに応じて、前記被検部における前記生体情報を生成する対象領域を決定させる、
プログラム。
【発明の詳細な説明】
【技術分野】
【０００１】
本開示は、生体情報を検出する技術に関する。
【背景技術】
【０００２】
人間の健康状態を判断するための基礎的なパラメータとして、心拍、血流量、血圧、血中酸素飽和度などが広く用いられている。血液に関するこれらの生体情報は、通常、接触型の測定器によって測定される。接触型の測定器は、被検者の生体を拘束するため、特に長時間にわたって連続して測定する場合に被検者の不快感を招いていた。
【０００３】
近年、慢性疾患の増加および社会の高齢化により、在宅での健康管理の実践および普及が進められている。医療施設内で行われる生体情報計測は、病気を直すという目的があるため、患者は計測に伴う痛みを耐えることができる。しかし、在宅での健康管理という用途では、計測に痛みや煩わしさを伴うようでは普及が難しい。在宅医療における計測技術には、医療施設内で行われる計測技術の延長ではなく、異なるアプローチが必要である。例えば、非侵襲は当然の事として、無拘束かつ非接触、さらには無意識下で計測できることが期待される。
【０００４】
特許文献１は、非接触で生体情報を計測する方法の例を開示している。特許文献１に開示された人体センサは、人の目で見えないマイクロ波を使用して、心拍、呼吸、体動を計測する。また、特許文献２および３は、通常のカメラを使用して、人の目で判別できないほど僅かな輝度変化から脈拍や呼吸を計測する方法を開示している。いずれの計測方法も、体表からの電磁波の反射を観察することで、非接触での生体情報計測を可能としている。
【０００５】
一方で、より深部の生体情報を非侵襲で取得する方法として、近赤外分光法（以下、ＮＩＲＳ：Ｎｅａｒ  ｉｎｆｒａｒｅｄ  ｓｐｅｃｔｒｏｓｃｏｐｙ）がある。この計測方法では、近赤外線の波長領域（主に７００ｎｍ〜１０００ｎｍ）の電磁波（以下、「光」と称する。）が使用される。上記波長領域の光は、筋肉や脂肪および骨などの生体組織に対する透過率が比較的高いため、「生体の窓」と呼ばれる。一方、この波長領域の光は、血液中のオキシヘモグロビン（ＨｂＯ2）およびデオキシヘモグロビン（Ｈｂ）には吸収される性質を有しているため、血流の変化を測定することが可能である。ＮＩＲＳは主に脳機能の計測に使用され、うつ病などの精神疾患の診断に応用されている。ＮＩＲＳを用いて脳機能を測定する光脳機能測定装置は、被検者の頭皮上に配置された光源から近赤外線（「近赤外光」とも称する。）を照射し、大脳皮質内を通過した光を検出器で検出する。検出器で検出された信号に基づき、脳に流れる血液中のオキシヘモグロビン濃度およびデオキシヘモグロビン濃度を算出することができる。ヘモグロビンの酸素状態に基づき、脳の活動状態（以下、「脳機能」と呼ぶことがある。）を推定することもできる。特許文献５は、ＮＩＲＳを利用して脳機能を計測する光脳機能計測装置の例を開示している。
【０００６】
特許文献４は、複数の光照射手段と受光手段を規則的に配置し、受光手段で検出された信号から計測対象の信号の空間分布を算出する計測装置を開示している。
【先行技術文献】
【特許文献】
【０００７】
【特許文献１】特開２００２−７１８２５号公報
【特許文献２】特開２０１４−３６８０１号公報
【特許文献３】特開２０１５−１００４３２号公報
【特許文献４】特開平９−１９４０８号公報
【特許文献５】特開２０１５−１３４１５７号公報
【非特許文献】
【０００８】
【非特許文献１】Ｇ．  Ｌｏｐｅｚ  ｅｔ  ａｌ．  “Ｃｏｎｔｉｎｕｏｕｓ  ｂｌｏｏｄ  ｐｒｅｓｓｕｒｅ  ｍｏｎｉｔｏｒｉｎｇ  ｉｎ  ｄａｉｌｙ  ｌｉｆｅ，”  Ｊｏｕｒｎａｌ  ｏｆ  Ａｄｖａｎｃｅｄ  Ｍｅｃｈａｎｉｃａｌ  Ｄｅｓｉｇｎ，  Ｓｙｓｔｅｍｓ，  ａｎｄ  Ｍａｎｕｆａｃｔｕｒｉｎｇ  ３（１），  １７９‐１８６  （２０１０）．
【発明の概要】
【発明が解決しようとする課題】
【０００９】
従来の技術では、被検者が動くと生体情報を安定して取得することができなかった。
【００１０】
本開示の限定的ではない例示的な実施形態は、被検者が動いても生体情報を安定して取得することが可能な技術を提供する。
【課題を解決するための手段】
【００１１】
本開示の一態様に係る生体情報計測装置は、被検者の被検部に照射するための照射光を出射する光源と、前記被検部から到達した光を検出し、前記光に対応する電気信号を出力する光検出器と、前記電気信号に基づいて、前記被検部内の対象領域における血流に関する生体情報の信号を生成する演算回路と、を備え、前記光検出器は、イメージセンサであり、前記電気信号は、前記イメージセンサによって取得される画像信号を含み、前記演算回路は、前記画像信号に基づく画像認識によって、基準の向きからの前記被検部の向きの傾きの大きさを検出し、前記被検部の向きの傾きの大きさに応じて、前記対象領域を決定する。
【００１２】
上記の包括的又は具体的な態様は、システム、方法、集積回路、コンピュータプログラム、または記録媒体で実現されてもよい。あるいは、システム、装置、方法、集積回路、コンピュータプログラム及び記録媒体の任意な組み合わせで実現されてもよい。
【発明の効果】
【００１３】
本開示の一態様によれば、被検者が動いても目的とする生体情報を得ることができる。
【図面の簡単な説明】
【００１４】
【図１Ａ】図１Ａは、実施形態１における生体情報検出装置１００の概略的な構成を模式的に示す図である。
【図１Ｂ】図１Ｂは、実施形態１における生体情報検出装置１００のより詳細な構成例を示す図である。
【図１Ｃ】図１Ｃは、光１２１が照射された被検者Ｏにおいて反射および散乱した光が光検出器１４０に到達する様子を模式的に示す図である。
【図２】図２は、オキシヘモグロビン、デオキシヘモグロビン、および水のそれぞれの、光の吸収係数の波長依存性を示す図である。
【図３】図３は、処理装置１５０の内部の構成を示す図である。
【図４Ａ】図４Ａは、ある時刻Ｔ１に光検出器１４０によって取得された画像情報を示す図である。
【図４Ｂ】図４Ｂは、ある時刻Ｔ２に光検出器１４０によって取得された画像情報を示す図である。
【図４Ｃ】図４Ｃは、ある時刻Ｔ３に光検出器１４０によって取得された画像情報を示す図である。
【図４Ｄ】図４Ｄは、ある時刻Ｔ４に光検出器１４０によって取得された画像情報を示している。
【図５Ａ】図５Ａは、時刻Ｔ１における光源１１０と被検者Ｏとの位置関係を示す模式図である。
【図５Ｂ】図５Ｂは、時刻Ｔ３における光源１１０と被検者Ｏとの位置関係を示す模式図である。
【図６】図６は、生体情報検出装置１００の動作の例を示すフローチャートである。
【図７】図７は、実施形態２における動作の概要を示す図である。
【図８Ａ】図８Ａは、頭頂側から見たときの頭部断面を模式的に示す図である。
【図８Ｂ】図８Ｂは、図８Ａに示す状態における大脳皮質における生体情報の計測対象部位１２と、皮膚表面において光が出射する領域である光出射部１３とを示す図である。
【図９Ａ】図９Ａは、図８Ａに示す状態から被検部が角度βだけ傾いた状態を示す断面図である。
【図９Ｂ】図９Ｂは、図９Ａに示す状態における大脳皮質の生体情報の計測対象部位２２と、皮膚表面において光が出射する領域である光出射部２３とを示している。
【図１０】図１０は、実施形態３の生体情報検出装置１００の構成を模式的に示す図である。
【図１１】図１１は、光検出器１４０とは別のイメージセンサ１４１をさらに備えた生体情報検出装置１００の構成例を模式的に示す図である。
【図１２】図１２は、計測によって取得される脈波の一例を模式的に示す図である。
【図１３】図１３は、顔および手の２点から得られる脈波ａ、ｂを模式的に示す図である。
【図１４Ａ】図１４Ａは、実施形態４における生体情報計測モジュール３００が取り付けられた電子機器４００の例を模式的に示す図である。
【図１４Ｂ】図１４Ｂは、実施形態４における生体情報計測モジュール３００および電子機器４００の構成を模式的に示すブロック図である。
【図１５Ａ】図１５Ａは、被検者である学習者Ｏが、実施形態５の電子機器４００を用いて学科（例えば算数、国語など）の問題を解いている様子を示す図である。
【図１５Ｂ】図１５Ｂは、図１５Ａの状態から、学習者Ｏの頭部が動いた状態の例を示す図である。
【図１６】図１６は、実施形態６によるロボット５００および被検者である対話者Ｏを模式的に示す図である。
【図１７】図１７は、ロボット５００の構成例を示す図である。
【図１８】図１８は、実施形態７による車両６００の車内を模式的に示している。
【図１９】図１９は、実施形態８による環境制御装置７００の外観を模式的に示している。
【図２０】図２０は、実施形態２における生体情報検出装置１００の動作の例を示すフローチャートである。
【発明を実施するための形態】
【００１５】
本開示の実施形態を説明する前に、本開示の基礎となった知見を説明する。
【００１６】
本発明者らは、被検者の血液に関する生体情報（例えば脳血流の情報）を検出して、様々な用途に利用することを検討している。例えば、脳血流の情報に基づいて、被検者の集中度または感情などを推定し、推定結果に応じて様々な機器を制御することを検討している。そのような制御の一例として、タブレットコンピュータを用いた教育用のアプリケーションにおいて、学習者の集中度に応じて表示内容を変化させるといった制御が考えられる。あるいは、対話型ロボットと音声または映像によるコミュニケーション（以下、「会話」と表現することがある。）を行っている人の心理状態または集中度に応じて、会話の内容を変更するといった制御も考えられる。他にも、運転者の集中度に応じた自動運転車の制御、または、室内の人の感情（暑さ、寒さ等の感覚を含む。）に応じて、エアコンディショナーの設定温度またはオーディオ機器のボリュームを変更するといった制御も考えられる。
【００１７】
このようなインタラクティブな動作を実現するためには、使用者（本明細書において、「被検者」とも称する。）の脳血流などの生体情報を適切に取得することが必要である。しかし、被検者は、常に静止しているということはなく、通常よく動く。被検者は歩行などの大きな動作だけではなく、生理現象に伴う僅かな体動によっても常に検出器との相対位置が変位する。したがって、検出器によって得られる信号強度は、計測中、常に変動する。特に生体深部の微弱な信号を検出する場合には、その正確な経時変化を観察することは困難である。
【００１８】
本願発明者は、上記の考察に基づき、以下に開示する新規な生体情報計測技術に想到した。
【００１９】
本開示は、以下の項目に記載の生体情報検出装置を含む。
【００２０】
［項目１］
被検者の被検部に照射するための照射光を出射する光源と、
前記被検部から到達した光を検出し、前記光に対応する電気信号を出力する光検出器と、
前記電気信号に基づいて、前記被検部内の対象領域における血流に関する生体情報の信号を生成する演算回路と、
を備え、
前記光検出器は、イメージセンサであり、
前記電気信号は、前記イメージセンサによって取得される画像信号を含み、
前記演算回路は、前記画像信号に基づく画像認識によって、基準の向きからの前記被検部の向きの傾きの大きさを検出し、前記被検部の向きの傾きの大きさに応じて、前記対象領域を決定する、
生体情報検出装置。
【００２１】
［項目２］
前記演算回路は、前記対象領域の形状、および前記被検部における前記対象領域の位置からなる群から選択される少なくとも１つを決定する、
項目１に記載の生体情報検出装置。
【００２２】
［項目３］
前記演算回路は、さらに、前記被検部の向きの傾きの大きさが変化したか否かを判定し、前記被検部の向きの傾きの大きさが変化したと判定された場合、変化後の前記被検部の向きの傾きの大きさに応じて、前記対象領域の形状を変化させる、
項目１に記載の生体情報検出装置。
【００２３】
［項目４］
前記演算回路は、さらに、前記被検部の向きの傾きの大きさが変化したか否かを判定し、前記被検部の向きの傾きの大きさが変化したと判定された場合、変化後の前記被検部の向きの傾きの大きさに応じて、前記被検部における前記対象領域の位置を変化させる、
項目１に記載の生体情報検出装置。
【００２４】
［項目５］
前記被検者は複数の特徴点を有しており、
前記演算回路は、
前記画像信号から前記複数の特徴点を抽出し、
前記画像信号における前記複数の特徴点の位置に基づいて、前記被検部の向きの傾きの大きさを検出する、
項目１に記載の生体情報検出装置。
【００２５】
［項目６］
前記演算回路は、
前記被検部の向きの傾きの大きさに基づいて、前記被検部の内部における前記光の伝播経路を予測し、
予測した前記伝播経路に基づいて、前記対象領域を決定する、
項目５に記載の生体情報検出装置。
【００２６】
［項目７］
前記演算回路は、
前記被検部の向きの傾きの大きさおよび予測した前記伝播経路からなる群から選択される少なくとも一方に基づいて、前記被検部から出射する前記光の強度または前記光の強度の基準値からの変化の割合を予測し、
予測した前記光の強度または前記光の強度の変化の割合が第１の値よりも小さいとき、前記生体情報の前記信号の強度を大きくする、
項目６に記載の生体情報検出装置。
【００２７】
［項目８］
前記演算回路は、予測した前記光の強度または前記光の強度の変化の割合が第２の値よりも大きいとき、前記生体情報の前記信号の強度を小さくする、
項目７に記載の生体情報検出装置。
【００２８】
［項目９］
前記光検出器は、複数の時刻において、前記電気信号を出力し、
前記演算回路は、前記複数の時刻において前記光検出器から出力された前記電気信号に基づいて、経時的に前記生体情報の前記信号を生成する、
項目１から８のいずれかに記載の生体情報検出装置。
【００２９】
［項目１０］
前記演算回路は、さらに、前記電気信号に基づいて、前記被検部と前記光検出器との距離を検出し、
前記演算回路は、前記距離が所定の距離よりも長いとき、前記生体情報の前記信号の強度を大きくする、
項目１に記載の生体情報検出装置。
【００３０】
［項目１１］
前記演算回路は、前記距離が前記所定の距離よりも短いとき、前記生体情報の前記信号の強度を小さくする、
項目１０に記載の生体情報検出装置。
【００３１】
［項目１２］
前記演算回路は、さらに、前記距離が変化したか否かを判定し、前記距離が変化したと判定された場合、前記生体情報の前記信号の強度を、前記距離が大きいほど大きい値に変化させる、
項目１０に記載の生体情報検出装置。
【００３２】
［項目１３］
前記演算回路は、前記イメージセンサによって取得された前記画像信号のうち、前記被検部に相当する画像信号に含まれる１つまたはそれ以上の画素ごとに、前記距離の検出、前記生体情報の前記信号の生成、および前記生体情報の前記信号の強度の調整を行う、
項目１０に記載の生体情報検出装置。
【００３３】
［項目１４］
前記所定の距離は、ある時点において前記演算回路により検出された前記距離である、
項目１０から１３のいずれかに記載の生体情報検出装置。
【００３４】
［項目１５］
前記所定の距離は、前記生体情報の前記信号の生成を開始した時点において前記演算回路により検出された前記距離である、
項目１０から１３のいずれかに記載の生体情報検出装置。
【００３５】
［項目１６］
前記照射光はパルス光であり、
前記演算回路は、前記光源が前記パルス光を出射してから前記光検出器が前記パルス光を検出するまでの時間に基づいて、前記距離を検出する、
項目１０から１５のいずれかに記載の生体情報検出装置。
【００３６】
［項目１７］
前記被検部までの距離を検出する測距センサをさらに備え、
前記演算回路は、前記測距センサによって検出された前記距離に基づいて、前記生体情報の前記信号の強度を調整する、
項目１０から１５のいずれかに記載の生体情報検出装置。
【００３７】
［項目１８］
前記光は、６５０ｎｍ以上９５０ｎｍ以下の波長の成分を含む、
項目１から１７のいずれかに記載の生体情報検出装置。
【００３８】
［項目１９］
前記被検部は前記被検者の額であり、
前記生体情報は、前記被検者の大脳皮質における血流に関する情報である、
項目１から１８のいずれかに記載の生体情報検出装置。
【００３９】
［項目２０］
生体情報検出装置であって、
被検者の被検部に照射するための照射光を出射する光源と、前記被検部から到達した光を検出して前記被検部の画像信号を出力するイメージセンサとを備えた装置から受け取った前記画像信号に基づいて、前記被検部内の対象領域における血流に関する生体情報の信号を生成する演算回路を備え、
前記演算回路は、前記画像信号に基づく画像認識によって、基準の向きからの前記被検部の向きの傾きの大きさを検出し、前記被検部の向きの傾きの大きさに応じて、前記対象領域を決定する、
生体情報検出装置。
【００４０】
［項目２１］
被検者の被検部に照射するための照射光を出射する光源と、前記被検部から到達した光を検出して前記被検部の画像信号を出力するイメージセンサと、を備えた装置に電気的に接続されて使用される生体情報検出装置の制御方法であって、前記生体情報検出装置に、
前記イメージセンサから出力された前記画像信号に基づいて、前記被検部における血流に関する生体情報を生成させ、
前記画像信号に基づく画像認識によって、基準の向きからの前記被検部の向きの傾きの大きさを検出させ、
前記被検部の向きの傾きの大きさに応じて、前記被検部における前記生体情報を生成する対象領域を決定させる、
制御方法。
【００４１】
［項目２２］
被検者の被検部に照射するための照射光を出射する光源と、前記被検部から到達した光を検出して前記被検部の画像信号を出力するイメージセンサと、を備えた装置に電気的に接続されて使用される生体情報検出装置のコンピュータに実行させるプログラムであって、前記コンピュータに、
前記イメージセンサから出力された前記画像信号に基づいて、前記被検部における血流に関する生体情報を生成させ、
前記画像信号に基づく画像認識によって、基準の向きからの前記被検部の向きの傾きの大きさを検出させ、
前記被検部の向きの傾きの大きさに応じて、前記被検部における前記生体情報を生成する対象領域を決定させる、
プログラム。
【００４２】
以下、図面を参照しながら、本開示の実施形態を詳細に説明する。なお、以下で説明する実施形態は、いずれも包括的または具体的な例を示す。以下の実施形態で示される数値、形状、材料、構成要素、構成要素の配置および接続形態、ステップ、ステップの順序などは、一例であり、本開示を限定する主旨ではない。本明細書において説明される種々の態様は、矛盾が生じない限り互いに組み合わせることが可能である。また、以下の実施形態における構成要素のうち、最上位概念を示す独立請求項に記載されていない構成要素については、任意の構成要素として説明される。以下の説明において、実質的に同じ機能または類似する機能を有する構成要素には共通の参照符号を付し、説明を省略することがある。
【００４３】
（実施の形態１）
まず、本開示の実施の形態１における生体情報検出装置を説明する。本実施形態における生体情報検出装置１００は、被検者の被検部における脳血流を非接触で計測する。
【００４４】
図１Ａは、実施形態１における生体情報検出装置１００の概略的な構成を模式的に示す図である。
【００４５】
生体情報検出装置１００は、光源１１０と、光検出器１４０と、光検出器１４０に電気的に接続された演算回路２００とを備える。光源１１０から出射された光は被検者Ｏの被検部（この例では額）で反射され、光検出器１４０に入射する。光検出器１４０は、入射した光を電気信号に変換して出力する。演算回路２００は、光検出器１４０から出力された信号に基づいて、被検部における血流に関する生体情報を生成する。
【００４６】
本明細書において、「生体情報」とは、心拍、血流量、血圧、血中酸素飽和度などの血液に関する種々の情報を意味する。特に、本実施形態では、脳血流における上記の情報が演算回路２００によって計測される。これにより、被検者Ｏの集中度または感情などの状態を推定することができる。
【００４７】
本実施形態における演算回路２００は、簡単に述べると、以下の動作を行う。
（１）光検出器１４０と被検部との距離が所定の距離よりも長いとき、生体情報の信号強度を大きくして出力する。
（２）光検出器１４０と被検部との距離が当該所定の距離よりも短いとき、生体情報の信号強度を小さくして出力する。
【００４８】
より具体的には、演算回路２００は、光検出器１４０と被検部との距離が変化したとき、生体情報の信号強度を、距離が大きいほど大きい値に変化させて出力する。「所定の距離」は、予め設定された比較の基準となる距離であってもよいし、ある時点において検出された被検部と光検出器１４０との距離であってもよい。例えば、生体情報の検出を開始するときの光検出器１４０と被検部との距離を「所定の距離」とすることができる。
【００４９】
結果として、ユーザーに見える情報は、距離が変わってもほとんど変化しない。距離変化による大きな信号変化を抑制し、生体情報の微弱な変化が連続的に（距離の変化によって大幅に変動することなく）観察される。これによって、過去と現在の生体の状態を直感的に比較することが可能になる。
【００５０】
上記の動作により、被検者Ｏの血流の状態が同一である場合には、被検部の位置および向きによらずに、ほぼ同程度の信号レベルの生体情報を得ることができる。これにより、例えば生体情報を経時的に取得してその時間変化を比較することが容易になる。
【００５１】
以下、本実施形態の構成および動作をより詳細に説明する。
【００５２】
〔１−１．生体情報検出装置１００の構成〕
図１Ｂは、本実施形態における生体情報検出装置１００のより詳細な構成例を示す図である。この例における生体情報検出装置１００は、前述した光源１１０、光検出器１４０、演算回路２００に加えて、光源１１０から出射された光の経路を変更する光学素子１２０と、被検者Ｏからの光を集光する光学系１３０と、光検出器１４０から出力された信号を処理し、光源１１０および光学素子１２０を制御する処理装置１５０とを備えている。演算回路２００は処理装置１５０の内部に設けられている。図１Ｂには、生体情報検出装置１００の外部の要素であるディスプレイ（表示装置）１６０も示されている。ディスプレイ１６０は、処理装置１５０に接続され、処理結果を表示する。
【００５３】
光源１１０および光検出器１４０は、演算回路２００およびディスプレイ１６０と一体であってもよいし、一体でなくてもよい。光検出器１４０、演算回路２００、ディスプレイ１６０の間で無線による通信を行ってもよい。生体情報検出装置１００は、情報の送受信を行う通信回路を備え得る。演算回路２００は、生体情報検出装置１００から離れた位置に配置されたコンピュータ（例えばサーバコンピュータ）に搭載されていてもよい。生体情報検出装置１００は、インターネットなどのネットワークを介して、遠隔地にある演算回路２００に光検出器１４０からの出力信号を送信し、演算回路２００に生体情報の生成および解析を実行させてもよい。
【００５４】
以下、各構成要素の詳細を説明する。
【００５５】
光源１１０は、被検者Ｏの被検部に光を照射する。本実施形態における被検部は、被検者Ｏの額である。額に光を照射し、その散乱光を検出することにより、脳血流の情報を取得することができる。本明細書において、「散乱光」とは、反射散乱光と透過散乱光とを含む。以下の説明では、反射散乱光を単に「反射光」と称することがある。脳血流以外の生体センシングを行う場合には、反射散乱光だけでなく透過散乱光を利用する場合もある。脳血流以外の血液の情報を取得する場合には、額以外の部位（例えば腕または脚など）を被検部としてもよい。以下の説明では、特に断りがない限り、被検部は額であるものとする。被検者Ｏは人間であるものとするが、人間以外の皮膚を有し、毛の生えていない部分を有する動物であってもよい。本明細書における「被検者」の用語は、そのような動物を含む被検体一般を意味する。
【００５６】
光源１１０は、例えば６５０ｎｍ以上９５０ｎｍ以下の光を出射する。この波長範囲は、赤色から近赤外線の波長範囲に含まれる。上記の波長範囲は、「生体の窓」と呼ばれ、体内での吸収率が低いことで知られている。本実施形態における光源１１０は、上記の波長範囲の光を出射するものとして説明するが、他の波長範囲の光（例えば近紫外線）を用いてもよい。本明細書では、可視光のみならず赤外線および紫外線についても「光」の用語を使用する。なお、本開示の技術は、可視光、赤外線、および紫外線以外の波長の電磁波、例えば、マイクロ波をプローブとして利用することも考えられる。
【００５７】
図２は、オキシヘモグロビン（酸化ヘモグロビン）、デオキシヘモグロビン（還元ヘモグロビン）、および水のそれぞれの、光の吸収係数の波長依存性を示す図である。６５０ｎｍ以下の可視光領域では血液中のヘモグロビン（ＨｂＯ2およびＨｂ）による吸収が大きく、９５０ｎｍよりも長い波長域では水による吸収が大きい。一方、６５０ｎｍ以上９５０ｎｍ以下の波長範囲内では、ヘモグロビンおよび水の吸収係数が比較的低く、散乱係数は比較的大きい。よって、この波長範囲内の光は、体内に侵入した後、強い散乱を受けて体表面に戻ってくる。このため、効率的に体内の情報を取得することができる。そこで、本実施形態では、この波長範囲の光が主に使用される。
【００５８】
光源１１０は、例えばパルス光を連続的に出射するレーザダイオード（ＬＤ）などのレーザ光源であり得る。本実施形態のように被検者Ｏが人である場合、出射光の網膜への影響を考慮する必要がある。光源１１０としてレーザ光源を使用する場合、各国で策定されるレーザ安全基準のクラス１を満足することが望ましい。クラス１が満足されている場合、被爆放出限界（ＡＥＬ）が１ｍＷを下回るほどの低照度の光が被検者Ｏに照射される。ただし、光源１１０自体はクラス１を満たしていなくてもよい。例えば、拡散板またはＮＤフィルタなどの素子が光源１１０と被検者Ｏとの間に配置され、光が拡散または減衰されることによってレーザ安全基準のクラス１が満たされてもよい。
【００５９】
光源１１０は、レーザ光源に限らず、発光ダイオード（ＬＥＤ）などの他の種類の光源であってもよい。光源１１０には、例えば半導体レーザ、固体レーザ、ファイバレーザ、スーパールミネッセントダイオード、およびＬＥＤなどが広く用いられ得る。これらと小型の光学素子１２０とを組み合わせることにより、装置全体を小型化することができる。光源１１０は、パルス光を出射する光源に限らず、連続光を出射する光源であってもよい。
【００６０】
光源１１０は、処理装置１５０における制御回路からの指示に応じて発光の開始および停止、ならびに発光パワーの変更を行う。光源１１０から出射される光１２１は、脳血流に関する情報の検出、および額の位置および距離の検出に用いられる。
【００６１】
光学素子１２０は、光源１１０と被検者Ｏの被検部（額）との間の、光１２１の光路上に配置される。光学素子１２０は、光１２１の光路を変更して光１２１を額へ導く。光学素子１２０は、処理装置１５０からの指示に応答して、額への光１２１の照射位置を調整する。光学素子１２０がミラーを含む場合は、その角度を変えることにより、額における光１２１の照射位置を変更することができる。
【００６２】
光学素子１２０は、例えば、ＭＥＭＳ（Ｍｉｃｒｏ  Ｅｌｅｃｔｒｏ  Ｍｅｃｈａｎｉｃａｌ  Ｓｙｓｔｅｍｓ）ミラーであり得る。特に２軸走査型のＭＥＭＳミラーを用いれば、被検部における光の照射位置を２次元的に調整できる。これにより、小型でかつ高速な光照射位置の調整が可能である。光学素子１２０には、他にも、例えば、ポリゴンミラー、ガルバノミラー、または回転型のプリズムを用いてもよい。
【００６３】
本明細書では、光源１１０および光学素子１２０の組み合わせを「光源ユニット」と称することがある。光源１１０および光学素子１２０を含む光源ユニット１７０は、例えば１つの光学モジュールとして構成され得る。本明細書では、光源ユニット１７０からの光の出射方向のことを、「光源からの光の出射方向」と表現することがある。
【００６４】
図１Ｃは、光１２１が照射された被検者Ｏにおいて反射および散乱した光（「戻り光」と表記する。）が光検出器１４０に到達する様子を模式的に示す図である。被検者Ｏからの戻り光は、被検者Ｏの表面で反射する成分（表面反射成分Ｉ１）と、被検者Ｏの内部で１回反射、散乱、または多重散乱する成分（内部散乱成分Ｉ２）とを含む。このうち、検出したい成分は内部散乱成分Ｉ２である。しかし、一般に、内部散乱成分Ｉ２の信号強度は小さい。これは、前述のように、レーザ安全基準を満たす非常に小さな光量の光が照射されることに加えて、頭皮、脳髄液、頭蓋骨、灰白質、白質や血流による光の散乱や吸収が大きいためである。さらに、脳活動時の血流量または血流内成分の変化による信号強度の変化は、さらに数十分の１の大きさに相当し、非常に小さい。したがって、検出したい信号成分の数千〜数万倍である表面反射成分Ｉ１をできるだけ混入させずに検出することが望ましい。そこで、検出器１４０を電子シャッターの機能を有するイメージセンサで構成し、処理装置１５０がシャッタータイミングを適切に制御することにより、内部散乱成分Ｉ２のみを検出するようにしてもよい。そのような構成は、例えば特願２０１５‐１２２３９０号の明細書に開示されている。特願２０１５‐１２２３９０号の開示内容全体を本願に援用する。
【００６５】
光学系１３０は、被検部で反射または拡散された光１２１を光検出器１４０に集光する。光学系１３０は、例えば単一または複数のレンズであり、ミラーを含んでいてもよい。光学系１３０がレンズを含む場合、レンズの受光側の面および出射側の面に光１２１の反射を抑制する反射防止膜をそれぞれ設けてもよい。これにより、より高い感度で脳血流の情報を検出することができる。
【００６６】
光検出器１４０は、被検者Ｏからの戻り光を検出する。光検出器１４０は、例えば１次元または２次元に配列された複数の光検出素子を含む。各光検出器は、例えばフォトダイオードを含み、被検部からの光１２１のパワー（または光量）に応じた電気信号を出力する。光検出素子は、例えば光電子増倍管（ＰＭＴ）のような他の素子でもよい。光検出素子として、高感度なアバランシェフォトダイオードまたは光電子増倍管などを用いると、より高い感度で脳血流の情報を取得することが可能である。
【００６７】
光検出器１４０は、光源１１０から出射される光の波長を含む波長域の光に感度を有するＣＣＤまたはＣＭＯＳなどのイメージセンサ（撮像素子）であってもよい。イメージセンサを用いることで、光の２次元的な強度分布（例えば動画像）を取得することができる。この場合、光検出器１４０が出力する電気信号は、画像信号を含む。演算回路２００は、取得した動画像を利用して、被検部の特徴的なパターンを画像認識によって抽出し、画像中の被検部の位置を特定することができる。被検部の動きを動き検出によって検出してもよい。
【００６８】
光検出器１４０はまた、被検者Ｏまでの距離を計測可能な構成を備え得る。例えばＴＯＦ（Ｔｉｍｅ−ｏｆ−Ｆｌｉｇｈｔ）技術を用いて被検者Ｏまでの距離を計測できる。ＴＯＦ技術では、照射光（例えばパルス光）が被検者Ｏで反射され、その反射光が光検出器１４０に到達するまでに要する時間、すなわち飛行時間が計測される。演算回路２００は、光源１１０がパルス光を出射してから光検出器１４０が当該パルス光を検出するまでの時間に基づいて被検部までの距離を検出できる。飛行時間は、各検出素子で検出される光の位相と、光源１１０における光の位相との差に基づいて計測できる。光検出器１４０として、複眼カメラを用いてもよい。複眼カメラは、複数のイメージセンサを有し、取得した複数の画像間の視差に基づいて、距離を計測できる。このように、光検出器１４０は、画像情報と距離情報の両方を取得可能なデバイスであってもよい。
【００６９】
被検者Ｏと生体情報検出装置１００との距離分布の情報は、光検出器１４０の出力に基づいて演算回路２００が生成してもよいし、光検出器１４０が生成して演算回路２００に送信してもよい。
【００７０】
画像情報を取得する光検出器１４０と、測距センサとを組み合わせるなど、複数のデバイスを利用して画像情報と距離情報とを取得してもよい。そのような形態では、演算回路２００は、測距センサによって検出された距離に基づいて、生体情報の信号強度を調整する。距離の計測は、ＴＯＦまたは複眼カメラを用いた方法とは異なる方法で行ってもよい。例えば、演算回路２００は、光検出器１４０から出力される画像信号に基づいて特定した被検部（額）の大きさに基づいて、光検出器１４０と被検部との距離を検出してもよい。光検出器１４０によって取得される画像の画角は予め決まっているため、画像中の被検部の領域の大きさから、被検部までの距離を求めることができる。
【００７１】
なお、光学系１３０と光検出器１４０とは一体的に構成することができる。また、光源ユニット１７０と、光学系１３０と、光検出器１４０とを一体的に構成してもよい。これにより、例えば携帯が可能な小型の光学ユニットが実現される。小型の光学ユニットは例えばＵＳＢケーブルなどのケーブルで処理装置１５０に接続され得る。
【００７２】
図３は、処理装置１５０の内部の構成を示す図である。
【００７３】
処理装置１５０は、光源１１０、光学素子１２０、検出器１４０、および表示装置（ディスプレイ）１６０に接続され、これらを制御する。処理装置１５０は、ＲＯＭ（Ｒｅａｄ  Ｏｎｌｙ  Ｍｅｍｏｒｙ）１５２、ＲＡＭ（Ｒａｎｄｏｍ  Ａｃｃｅｓｓ  Ｍｅｍｏｒｙ）１５３、制御回路１５５、および演算回路２００を備えている。制御回路１５５は、例えばＣＰＵ（Ｃｅｎｔｒａｌ  Ｐｒｏｃｅｓｓｉｎｇ  Ｕｎｉｔ）を含む集積回路である。制御回路１５５は生体情報検出装置１００の全体の動作を制御する。演算回路２００は、例えばＤＳＰ（Ｄｉｇｉｔａｌ  Ｓｉｇｎａｌ  Ｐｒｏｃｅｓｓｏｒ）などの信号処理回路である。演算回路２００は、例えばＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）またはＦＰＧＡ（Ｆｉｅｌｄ−Ｐｒｏｇｒａｍｍａｂｌｅ  Ｇａｔｅ  Ａｒｒａｙ）のような集積回路であってもよい。
【００７４】
演算回路２００は、光検出器１４０によって取得された電気信号に基づいて、生体情報を生成する。この際、被検者Ｏの被検部の位置および姿勢（傾斜角度）に応じて、画像中で生体情報を生成する対象となる領域（本明細書において、「対象領域」と称する。）を変化させ、かつ、生体情報の信号強度を変化させる。演算回路２００は、光検出器１４０（イメージセンサ）によって取得された画像信号のうち、被検部に相当する画像領域における画素ごと、または画素群ごとに、距離の検出、生体情報の生成、および生体情報の信号強度の調整を行う。演算回路２００による処理の詳細については後述する。
【００７５】
ＲＯＭ１５２は、制御回路１５５および演算回路２００によって実行されるコンピュータプログラムを格納している。コンピュータプログラムは、たとえば後述するフローチャートによって示される処理、またはその一部を、制御回路１５５および演算回路２００に行わせるための命令群である。そのようなコンピュータプログラムは、例えばネットワークを介してダウンロード可能であり、コンピュータが読み取り可能な記録媒体に格納され得る。ＲＡＭ１５３は、制御回路１５５および演算回路２００がプログラムを実行するにあたって、当該プログラムを展開するためのワークメモリである。ＲＡＭ１５３は、光検出器１４０から出力された信号（データ）、または計測された生体情報に関するデータを格納する記憶装置（記録媒体）でもある。
【００７６】
処理装置１５０は、パーソナルコンピュータ、タブレットコンピュータ、スマートフォンなどの汎用のコンピュータであってもよい。そのようなコンピュータは、処理装置１５０全体の動作を制御するＣＰＵを備える。そのＣＰＵが本開示における演算回路が行う動作の一部または全てを実行してもよい。その場合には、汎用コンピュータのＣＰＵが本開示における「演算回路」の少なくとも一部として機能する。カメラを内蔵するコンピュータによって本実施形態の機能を実現する場合には、光検出器１４０の機能の一部を、当該コンピュータに内蔵されたカメラで代替してもよい。例えば、画像認識による被検部の検出を当該カメラによる可視光画像を用いて行い、生体情報の生成に必要な近赤外光および赤色光の情報の取得を、外付けの光検出器１４０で行ってもよい。通常のカメラは、可視光画像を得るために赤外カットフィルタを備えるが、光検出器１４０は、光源１１０から出射される近赤外光を検出できるように、赤外カットフィルタを備えていない。
【００７７】
光源１１０、光学素子１２０および光検出器１４０は、各種のインタフェースを介して処理装置１５０と接続可能である。例えば、光検出器１４０がイメージセンサである場合、ＭＩＰＩ規格（登録商標）に準拠した端子を利用して処理装置１５０に接続され得る。また、光源１１０および光学素子１２０は、例えばＵＳＢインタフェースを利用して処理装置１５０に接続され得る。
【００７８】
図示されるように、処理装置１５０には、被検者の動画像および生体情報を表示する表示装置１６０が接続され得る。表示装置１６０は、例えば液晶または有機ＥＬなどのディスプレイである。表示装置１６０は、例えばＨＤＭＩ（登録商標）規格の端子を利用して処理装置１５０に接続され得る。生体情報検出装置１００の利用者は、生体活動に関する様々な情報を表示装置１６０から得ることができる。
【００７９】
上述した有線による接続以外にも、無線通信によってデータの送信および／または受信を行うことも可能である。例えばＷｉ−Ｆｉ（登録商標）規格やＺｉｇＢｅｅ（登録商標）規格に準拠した通信が利用され得る。
【００８０】
生体情報検出装置１００は、光の２次元の強度分布を計測し、その強度分布に基づいて脳における血流量、血圧、血中酸素飽和度、または心拍数などの種々の生体情報を計測することができる。そのような計測技術は、例えば特許文献５に開示され、本開示にも好適に利用することができる。参考のために特許文献５の開示内容の全てを本明細書に援用する。
【００８１】
脳血流量または血流内成分（例えばヘモグロビン）の変化と、人間の神経活動との間には密接な関係があることが知られている。例えば、人間の感情の変化に応じて神経細胞の活動が変化することによって、脳血流量または血液内の成分が変化する。従って、脳血流量または血液内成分の変化などの生体情報を計測できれば、被検者の心理状態を推定することができる。被検者の心理状態とは、例えば、気分（例えば、快、不快）、感情（例えば、安心、不安、悲しみ、憤りなど）、健康状態（例えば、元気、倦怠）、温度感覚（例えば、暑い、寒い、蒸し暑い）などを意味する。また、これに派生して、脳活動の程度を表す指標、例えば熟練度、習熟度、および集中度なども心理状態に含まれる。
【００８２】
〔１−２．生体情報検出装置の動作〕
次に、本実施形態における生体情報検出装置１００の動作を説明する。以下の説明では、光検出器１４０が、画像信号を出力するイメージセンサであるものとする。
【００８３】
生体情報検出装置１００は、ユーザーから生体情報の検出開始指示を受けると、光源１から被検者Ｏに光を照射し、被検者Ｏから反射された光を光検出器１４０で検出する。この検出は、検出停止指示を受けるまで、経時的に行われ、光検出器１４０から動画像の信号が出力される。演算回路２００は、この動画像の信号に基づいて、被検部における生体情報を生成する。この際、演算回路２００は、被検部の動きに応じて、生体情報を生成する対象となる画像上の領域（本明細書において、「対象領域」と称することがある。）を変更し、かつ、生成する生体情報の信号強度を調整する。被検部の動きには、光検出器１４０からの距離が殆ど変わらない平面的な動きと、被検部の距離が一律に変化する動きと、距離が部分的に変化する動きとがある。演算回路２００は、これらの３種類の動きに応じた処理を行う。
【００８４】
＜平面的な移動＞
図４Ａは、ある時刻Ｔ１に光検出器１４０によって取得された画像情報を示している。演算回路２００は、顔検知機能を有し、光検出器１４０から出力された画像情報に人の顔が含まれているかを検出する。演算回路２００は、顔を構成する特徴点（目、鼻、口など）の位置に基づいて、生体情報を計測する対象領域である額領域（図中の破線枠内の領域）を決定する。
【００８５】
図４Ｂは、ある時刻Ｔ２に光検出器１４０によって取得された画像情報を示している。時刻Ｔ１から時刻Ｔ２までの間に、被検者の被検部は、光検出器１４０の画像取得面（撮像面）にほぼ平行な移動、および画像取得面にほぼ垂直な軸の周りでの回転のみを行っている。光検出器１４０と被検部との距離は変化していない。そこで、演算回路２００は、取得された画像中の額の位置の変化を検出し、生体情報を計測する額領域の位置を変更する。
【００８６】
＜距離の変化＞
図４Ｃは、ある時刻Ｔ３に光検出器１４０によって取得された画像情報を示している。時刻Ｔ３において、被検者Ｏは、時刻Ｔ１に比べて光検出器１４０から遠ざかっている。時刻Ｔ３において、演算回路２００は、顔を構成する特徴点の位置の変化を検出し、生体情報を計測する対象領域の位置およびサイズを変更する。さらに、演算回路２００は、距離の変化に伴う生体情報の信号強度の減衰を予測し、信号強度を補正する。
【００８７】
図５Ａおよび図５Ｂは、それぞれ時刻Ｔ１およびＴ３における光源１１０と被検者Ｏとの位置関係を示す模式図である。ここでは、光源１１０から照射される光が、分布が一様で角度αの広がりを持つ拡散光であるものとし、時刻Ｔ１およびＴ３における光源１１０と被検者Ｏの被検部との距離が、それぞれｄ１およびｄ２であるものとする。この場合、時刻Ｔ３における額部での照度は、時刻Ｔ１における照度の（ｄ１／ｄ２）2倍になる。すなわち、光源１１０と被検部との距離が離れるほど、被検部に照射される光密度は減少する。それに応じて生体情報の信号強度も減衰する。演算回路２００は、時刻Ｔ３において取得された生体情報を（ｄ２／ｄ１）2倍する。これにより、時刻Ｔ１およびＴ３においてそれぞれ取得された生体情報を直接比較できるようになる。光源からの光が一様な分布を有しない場合はこの限りではないが、光源の照度分布が既知であれば、演算回路２００は、光源１１０と被検部との距離の増減による生体情報の減衰率を算出して信号強度を補正することが可能である。光検出器１４０と被検部との距離が長くなるほど、計測環境光などのノイズが増加するため、検出される生体情報のＳＮ比も変わり、感度補正が必要になる。演算回路２００は、上記のような被検者の動きに起因する信号の増減を加味して生体情報を補正する。
【００８８】
＜角度の変化＞
図４Ｄは、ある時刻Ｔ４に光検出器１４０によって取得された画像情報を示している。時刻Ｔ４においては、被検者Ｏは、時刻Ｔ１に比べて鉛直方向の軸の周りに回転しており、被検部である額領域は、画像取得面に対して傾斜している。このため、画像信号中で額領域に相当する領域の形状が変化している。演算回路２００は、顔を構成する複数の特徴点の位置の変化に基づき、額領域の形状の変化を検出し、その変化に応じて生体情報を計測する対象領域を変更する。この例では、額領域のうち、奥に位置する図中の左側の領域は、光検出器１４０からの距離が相対的に大きい。このため、時刻Ｔ１において長方形であった対象領域は、時刻Ｔ４では左側の縦幅が狭い形状に変形する。さらに、対象領域内の各点における光検出器１４０からの距離が変化しているため、演算回路２００は、対象領域の点ごとに生体情報の信号強度を補正する。この補正は、画素ごとに行ってもよいし、近接する複数の画素のまとまり（画素群）ごとに行ってもよい。生体情報の補正に際しては、光源の照度分布データ、環境光の照度分布データ、および被検者Ｏと生体情報検出装置１００との距離分布の情報が取得できれば精緻な補正が可能である。
【００８９】
以上のような処理により、被検部の動きに応じて適切な生体情報を生成できる。これにより、例えば生体情報を経時的に取得する場合に、信号レベルの変動を抑え、比較を容易にすることができる。
【００９０】
続いて、本実施形態の生体情報検出装置１００の全体の動作の例を説明する。
【００９１】
図６は、生体情報検出装置１００の動作の例を示すフローチャートである。以下、光検出器１４０がＴＯＦイメージセンサであるものとして説明する。
【００９２】
（ステップＳ５００）
演算回路２００は、光検出器１４０から出力された画像信号に基づいて、被検者Ｏの被検部（額）の位置、および光検出器１４０と額との間の距離を検出する。具体的には、演算回路２００は、光検出器１４０から出力されたフレーム画像中に被検者Ｏの額があるか否か、およびその位置を画像認識によって特定する。演算回路２００は、顔を構成する特徴点（目、鼻、口など）の位置に基づいて、額の有無を検出し、その位置を特定する。この際、人の額に関連付けられたテンプレートを用いたパターンマッチングによって額の位置を特定してもよい。テンプレートは、例えばＲＯＭ１５２に予め格納される。画像認識には、公知の手法を広く用いることができ、特定の方法に限定されない。演算回路２００は、さらに、光源１１０から出射される光の位相と、光検出器１４０によって検出された光の位相との差に基づいて、被検部の各点までの距離を計測（測距）する。演算回路２００は、この距離の計測を、画像中の被検部に相当する領域における画素ごと、または近接する複数の画素からなる画素群ごとに行う。
【００９３】
（ステップＳ５０１）
演算回路２００は、光検出器１４０から出力された画像信号に基づいて被検者Ｏの被検部に相当する画像中の対象領域における生体情報を生成する。例えば演算回路２００は、脳内の血液中の酸化ヘモグロビン濃度および還元ヘモグロビン濃度を示す情報を生体情報として生成する。演算回路２００は、この生体情報の生成を、画像中の被検部に相当する領域における画素ごと、または近接する画素群ごとに行う。
【００９４】
ここで、生体情報の計測方法の具体例を説明する。
【００９５】
血液の大きな役割は、酸素を肺から受け取って組織へと運び、組織からは二酸化炭素を受け取ってこれを肺に循環させることである。血液１００ｍｌの中には約１５ｇのヘモグロビンが存在している。酸素と結合したヘモグロビンが酸化ヘモグロビンであり、酸素と結合していないヘモグロビンが還元ヘモグロビンである。図２に示すように、酸化ヘモグロビンおよび還元ヘモグロビンの光吸収特性は異なる。酸化ヘモグロビンは約８３０ｎｍを超える波長の赤外線を比較的よく吸収し、還元ヘモグロビンは赤色光（例えば６６０ｎｍの波長）を比較的強く吸収する。８０５ｎｍの波長の近赤外線については、両者の吸収率に差異はない。そこで、本実施形態では、６６０ｎｍ（赤色光）および８３０ｎｍ（赤外光）の２つの波長を用いて、それぞれの波長について、被検部からの光パワーを計測する。これらの赤色光および赤外光のパワーに基づいて、ヘモグロビンの酸素飽和度を求めることができる。用いる２つの波長の組み合わせとしては、８０５ｎｍ未満の波長と、８０５ｎｍよりも長い波長の組み合わせが望ましい。酸素飽和度とは、血液中のヘモグロビンのうちどれだけが酸素と結びついているかを示す値である。酸素飽和度は、還元ヘモグロビンの濃度をＣ（Ｈｂ）、酸化ヘモグロビンの濃度をＣ（ＨｂＯ2）として、以下の数式で定義される。
酸素飽和度＝Ｃ（ＨｂＯ2）／［Ｃ（ＨｂＯ2）＋Ｃ（Ｈｂ）］×１００（％）
【００９６】
生体内には、血液以外にも赤〜近赤外の波長の光を吸収する成分が含まれているが、光の吸収率が時間的に変動するのは、主に動脈血中のヘモグロビンに起因する。よって、吸収率の変動に基づいて、高い精度で血中酸素飽和度を測定することができる。心臓から拍出された動脈血は脈波となって血管内を移動する。一方、静脈血は脈波を持たない。生体に照射した光は、動静脈や血液以外の組織など生体の各層で吸収を受けて生体を透過するが、動脈以外の組織は時間的に厚さが変動しない。このため、生体内からの散乱光は、脈動による動脈血層の厚さの変化に応じて時間的な強度変化を示す。この変化は動脈血層の厚さの変化を反映しており、静脈血や組織の影響を含まない。よって、散乱光の変動成分だけに着目することで動脈血の情報を得ることができる。時間に応じて変化する成分の周期を測定することにより、脈拍も求めることができる。
【００９７】
（ステップＳ５０２）
演算回路２００は、生成した生体情報の信号強度を、対象領域内の画素または画素群の距離に応じて補正する。演算回路２００は、図４Ａ〜４Ｄ、５Ａ〜５Ｂを参照して説明した方法で、被検部の動きに応じて信号強度が適切なレベルになるように補正する。これにより、被検部が動いたとしても、異なる時刻に取得された生体情報の比較が容易になる。
【００９８】
（ステップＳ５０３）
演算回路２００は、生体情報に基づいて被検者の心理状態を推定する。例えば、演算回路２００は、ヘモグロビンの酸素状態から、被検者Ｏの集中度、感情などの心理状態を推定する。
【００９９】
神経細胞が活動すると、毛細血管内の血液中のヘモグロビンによって運ばれてきた酸素が消費される。酸素の消費による局所反応に伴い、血流増加が生じることが知られている。また、毛細血管内還元ヘモグロビンが生体組織に酸素を渡すことにより、還元ヘモグロビンが一時的に増加することが知られている。例えば、被検者Ｏが課題を解いて学習しているとする。その際、脳血流量は集中度に応じて時々刻々と変化し得る。集中度が高いほど、脳血流量は増加し、血中酸素飽和度は低下する傾向にある。そこで、演算回路２００は、例えば脳血流量または血中酸素飽和度の基準値からの変化量に基づいて被検者Ｏの集中度を判定することができる。本実施形態では、脳血流量または血中酸素飽和度の基準値からの変化量と集中度とを対応付けるテーブルが予めＲＯＭ１５２に格納される。演算回路２００は、そのテーブルを参照することによって、計測した生体情報から学習の集中度を判定することができる。演算回路２００の計測結果および演算回路２００の推定結果は、例えばＲＡＭ１５３などの記録媒体に保存される。
【０１００】
（ステップＳ５０４）
上述したように、例えば被検者Ｏがある課題を解いて学習しているとする。その際、被検者Ｏの頭部、つまり、被検部である額が計測中に動くことが想定される。そこで、演算回路２００は、常時、被検者（特に頭部）が動いたか否かを監視する。例えば、演算回路２００は、連続したフレーム画像間で動きベクトルを算出する。演算回路２００は、その動きベクトルの大きさが閾値以上である場合、被検者Ｏが動いたと判定し、動きベクトルの大きさが閾値未満である場合、被検者Ｏが動かなかったと判定する。例えば、その閾値は予めＲＯＭ１５２に格納されている。
【０１０１】
演算回路２００は、被検者Ｏの被検部の動きを順次判定しなくてもよく、所定のフレーム枚数（例えば３００フレーム）毎に動きを判定してもよい。これにより、演算回路２００の消費電力を抑えることができる。
【０１０２】
演算回路２００が被検者Ｏの被検部の動きを検出しなかった場合、処理は再びステップＳ５０１に戻る。演算回路２００が被検部の動きを検出した場合、処理はステップＳ５００に戻る。
【０１０３】
なお、このような動きベクトルに基づく監視を行わずに、例えば、ステップＳ５０２における生体情報の計測を繰り返し行い、計測が正常に行えなくなったことを検出した場合にはステップＳ５００に戻るという動作でもよい。あるいは、単純に、所定時間（例えば数秒から数分）ごとに位置および距離の再検出を行ってもよい。
【０１０４】
（実施の形態２）
次に、本開示の実施の形態２を説明する。
【０１０５】
本実施形態の生体情報検出装置１００の構成は実施形態１のものと同じであるが、演算回路２００による処理が異なる。本実施形態では、演算回路２００は、被検者Ｏの被検部の向きが基準の向きから傾いているとき、その傾きの大きさに応じて生体情報を生成する対象領域を決定する。また、演算回路２００は、傾きの大きさに応じて生体情報の信号強度を補正する。以下、近赤外光を用いて大脳皮質の脳血流を測定する場合を例に、本実施形態における動作を説明する。
【０１０６】
本実施形態における演算回路２００は、被検者の被検部である額の中心の法線方向が正面方向から傾いているか否かを判定する。法線方向が正面方向から傾いていないとき、あるいは、傾きが小さいときには、生体情報を生成する対象領域を、図４Ａにおいて破線で囲われた領域のように被検者の額の中心位置に設定する。このとき、対象領域は、被検者の額の中心位置に設定する必要はなく、生体情報を取得する目的などに応じて、例えば、額の中心位置から上下左右にずれた位置に設定してもよい。また、図４Ａでは、対象領域の形状を略長方形に設定しているが、これに限らず、例えば、三角形状、楕円形状、その他任意の形状として設定してもよい。さらに、例えば、長方形などの各辺を被検者の額の丸みに対応して湾曲させた形状であってもよい。
【０１０７】
図７は、本実施形態における動作の概要を示す図である。前述のように、本実施形態における演算回路２０は、被検者の被検部である額の中心の法線方向が正面方向から傾いているか否かを判定する。この傾きの判定を継続的に行ない、対象領域を初期設定した時点から、傾きの大きさが変化した場合、変化後の傾きの大きさに応じて、対象領域に位置（中心位置）、および／または形状を変更する。図７に示すように、被検部である額が被検者の右方向に傾けられた場合、対象領域の位置を被検者の額の左側へシフトさせる。ここで、対象領域の位置は、対象領域が全体的に生体情報検出装置１００に近づく方向にシフトさせることが望ましい。図７の上の図は、シフト前の対象領域を破線で示し、図７の下の図は、シフト後の対象領域を破線で示している。シフト量は、被検部の傾斜角度が大きいほど大きくなる。また、例えば、被検者の額の丸みに応じて、対象領域の形状を変化させるとしてもよい。演算回路２００は、このような動作を、図６に示すステップＳ５０１における生体情報の生成の前段階である対象領域の決定の際に行う。この際、必要に応じて、信号強度の補正も併せて行う。以下、この動作についてより詳細に説明する。
【０１０８】
図８Ａは、頭頂側から見たときの頭部断面を模式的に示す図である。簡単のため、図８Ａでは、頭部断面における頭皮、頭蓋骨、脳髄液の部分をまとめて１つの層とし、大脳皮質の部分を１つの層として表している。また、説明を簡単とするため、近赤外光を、拡がりのない直進する光線として表しており、被検部の一点に近赤外光が照射されるようにみえるが、実際には、近赤外光は広がりのある分布を持つため、被検部全体に近赤外光が照射される。図８Ａにおいて、矢印は近赤外光がとり得る光路の例を示し、斜線部は光入射部１１から入射した近赤外光が伝播し得る領域を表している。図８Ａの例では、被検者Ｏは生体情報検出装置１００の光検出器１４０に対して正面を向いており、近赤外光が皮膚表面に垂直に入射している。図８Ｂは、大脳皮質における生体情報の計測対象部位１２と、皮膚表面において光が出射する領域である光出射部１３とを示している。図８Ｂでは、近赤外光の伝播領域については輪郭のみが示されている。
【０１０９】
近赤外光は、皮膚表面上の光入射部１１に到達すると、皮膚表面で反射される成分と、頭部内部に侵入する成分とに分かれる。図８Ａには、皮膚表面で反射される成分は図示されていない。皮膚表面は実際には平坦ではないため、近赤外光は表面の凹凸によって拡散反射される。頭部内部は異なる複数の生体組織が層状になった構造を有している。このため、近赤外光は、大脳皮質内の計測対象部位１２に到達して再び皮膚表面外に放射されるまで、それぞれの組織に固有の光学パラメータ（屈折率、散乱係数、吸収係数、異方散乱パラメータ等）に応じて屈折、吸収、散乱を繰り返す。その結果、近赤外光は、光入射部１１を中心に広がりを持った光出射部１３から出射される。
【０１１０】
近赤外光が頭部内部のどの深さまで到達するかは光の波長と強度に依存する。同一波長であれば強度が高いほど深い位置まで侵入できる。しかし、生体が計測対象である場合は、安全のため、それほど強い近赤外光を用いることはできない。光源の出射パワーは、安全性を考慮して適切な範囲に設定する必要がある。クラス１のレーザを光源として使用する場合は、近赤外光は２０〜３０ｍｍ程度の深さまで到達し、大脳皮質で一部が吸収および散乱され、光入射部１１を中心に半径３０ｍｍ程度の範囲の光出射部１３から出射される。このように、吸収散乱体内部の深い位置の情報を計測する場合、計測対象部位１２の位置と、その情報を持った信号が検出される光出射部１３の位置とは必ずしも一致しない。近赤外光が伝播する光路は、光の波長と、生体組織の光学パラメータ（屈折率、散乱係数、吸収係数、異方散乱パラメータ等）からモンテカルロシュミレーションなどを使用して推定することができる。
【０１１１】
ここで、図９Ａおよび図９Ｂを参照しながら、被検部への近赤外光の入射角度が変化した場合の影響を説明する。
【０１１２】
図９Ａは、図８Ａに示す状態から被検部が角度βだけ傾いた状態を示す断面図である。図９Ｂは、大脳皮質における生体情報の計測対象部位２２と、皮膚表面において光が出射する領域である光出射部２３とを示している。生体内部に進入する光は前方散乱するため、近赤外光が皮膚表面に対して傾斜して入射した場合、垂直に入射した場合に比べて、散乱光の分布が生体情報検出装置１００から遠い側（図中の左側）に偏る。
【０１１３】
図８Ａおよび図８Ｂに示すように、皮膚表面に対して近赤外光が垂直に入射した場合、近赤外光は光入射部１１を中心に伝播し、大脳皮質の点Ａ、Ｂ、Ｃを含む計測対象部位１２を経由し、光出射部１３から放出される。すなわち、大脳皮質の点Ａ、Ｂ、Ｃの情報をもつ近赤外光が光出射部１３から放出される。これを検出することで生体情報検出装置１００は生体情報を得ることができる。
【０１１４】
一方、図９Ａおよび図９Ｂに示す状態では、皮膚表面に対して近赤外光が入射角度βで入射する。このため、光入射部１１から入射した近赤外光は、進行方向に対して後方に弱く前方に強く散乱する。その結果、近赤外光は、光検出器１４０から見て手前側に位置する大脳皮質の点Ｃには到達せず、奥側に位置する点Ａ、Ｂを含む計測対象部位２２に到達する。計測対象部位２２に到達した近赤外光は、計測対象部位２２で反射され、拡がりを有する光出射部２３から放出される。すなわち、光出射部２３から出射した光を検出したとしても、点Ｃにおける生体情報を得ることはできない。点Ａ、Ｂ、Ｃを全て含む領域の情報を得るためには、光出射部２３よりも手前側の光出射部２４から出射した近赤外光を検出しなければならない。
【０１１５】
そこで、本実施形態における演算回路２００は、被検部の向きが正面方向から傾いているとき、すなわち、光源１１０からの光が被検部に傾斜して入射するとき、生体情報を生成する対象領域を、検出器１４０に近づく方向にシフトさせる。これにより、被検部が正面を向いているときと同様の領域における生体情報を得ることができる。
【０１１６】
ここでは、説明を簡単にするため、近赤外光を拡がりのない光線として取り扱ったが、実際には近赤外光は拡がりのある分布をもつ。そこで、演算回路２００は、光源から出射する光の照度分布を考慮して、目的とする大脳皮質の部位の情報を持つ光が出射される皮膚表面上の領域を特定してもよい。この特定した結果に基づいて、対象領域を決定またはシフトさせるとしてもよい。そのようにして特定した領域から出射される近赤外光を検出することにより、より好ましい生体情報を得ることができる。
【０１１７】
図２０は、実施形態２における、生体情報検出装置１００の動作の例を示すフローチャートである。このフローチャートを用いて生体情報検出装置１００の動作を説明する。なお、実施形態１における生体情報検出装置１００の動作と重複する部分は説明を省略する。
【０１１８】
（ステップＳ６０１）
演算回路２００は、光検出器１４０から出力された画像信号に基づいて、被検者Ｏの被検部（額）の向きを検出する。ここで、被検部の向きは、例えば、被検者の額の中心の法線方向である。具体的には、演算回路２００は、光検出器１４０から出力されたフレーム画像中の被検者Ｏの額があるか否か、およびその位置を画像認識によって特定する。演算回路２００は、被検者Ｏの顔を構成する特徴点（目、鼻、口など）の位置に基づいて、被検部の位置および被検部の向きを検出する。検出した被検部の向きに基づいて、被検部の傾きの大きさを算出する。被検部の傾きの大きさは、被検部の向きが基準の向き（正面方向）から傾いている大きさである。
【０１１９】
（ステップＳ６０２）
演算回路２００は、ステップＳ６０１において算出した被検部の傾きの大きさに基づいて、被検部において生体情報を生成する対象領域を決定する。既に対象領域が設定されている場合は、新たに検出された被検部の傾きの大きさに応じて、対象領域が変更される。演算回路２００は、対象領域の位置を変更してもよいし、対象領域の形状を変更してもよい。
【０１２０】
（ステップＳ６０３）
演算回路２００は、光検出器１４０から出力された画像信号に基づいて、ステップＳ６０２において決定／変更された画像中の対象領域における生体情報を生成する。具体的な処理はステップＳ５０１と同じであるため、説明を省略する。
【０１２１】
（ステップＳ６０４）
演算回路２００は、生体情報に基づいて被検者の心理状態を推定する。具体的な処理はステップＳ５０３と同じであるため、説明を省略する。
【０１２２】
（ステップＳ６０５）
上述したように、例えば被検者Ｏがある課題を解いて学習しているとする。その際、被検者Ｏの頭部、つまり、被検部である額が計測中に動くことが想定される。動くことによって、被検部の向きが変化する。そこで、演算回路２００は、常時、被検部の向きを監視する。例えば、演算回路２００は、光検出器１４０から出力される画像信号に基づいて、継続して被検部の向きを検出する。
【０１２３】
（ステップＳ６０６）
演算回路２００は、ステップＳ６０５において監視している被検部の向きが変化したか否かを判定する。被検部の向きが変化していないと判断された場合（ステップＳ６０６のＮｏ）、ステップＳ６０３に処理を進め、ステップＳ６０２において決定された対象領域における生体情報を生成する。被検部の向きが変化していないと判断された場合（ステップＳ６０６のＹｅｓ）、ステップＳ６０１へ処理を進め、被検部の傾きの大きさを検出する。その後、フローに従って、処理を進め、傾きの大きさに応じて対象領域を変更する。
【０１２４】
次に、被検部の傾きが変化することによる近赤外光の光路長の影響を考える。近赤外光の入射角度が０°からβに変わることで、頭皮や頭蓋骨中で光路長が（１／ｃｏｓβ）倍に長くなる。このため、光が散乱および吸収される頻度が増加し、再び皮膚表面から出射する確率が低くなる。また、皮膚表面または各組織の界面で反射される割合および分布が変化するため、大脳皮質の情報を得た近赤外光が皮膚表面に放射される確率および分布も変わる。結果として、光検出器１４０が取得する信号の強度は入射角度が０°の場合よりも減少する。大脳皮質の脳血流の時間変化を観察する場合、異なる時刻に取得された信号を比較できるように補正する必要がある。
【０１２５】
そこで、本実施形態における演算回路２００は、光の入射角度に起因する伝播経路の変化および検出される信号強度の変化を考慮して、生体情報を比較できるように補正する。具体的には、演算回路２００は、以下の処理を行う。
（１）被検者Ｏの顔検知を行い、顔の向きを特定する。
（２）測定したい大脳皮質の位置を推定する。
（３）近赤外光の波長および入射角度、ならびに生体組織の光学パラメータ（屈折率、散乱係数、吸収係数、異方散乱パラメータ等）に基づいて、近赤外光が伝播する光路と、皮膚表面から放出される確率および分布とを算出する。
（４）測定したい大脳皮質の部位の情報を得た近赤外光が放射される光出射部を推定して生体情報を取得する画像上の対象領域を決定する。
（５）光出射部から放射される近赤外光の信号強度が、光の入射角度が０度である場合の信号強度に対して増減する割合（増減率）を、画素ごとまたは画素群ごとに予測する。
（６）決定した対象領域における生体情報を生成する。
（７）予測した増減率に従って、生体情報を補正する。
【０１２６】
このような処理により、生体情報の検出中に被検部の傾きが変化した場合であっても、比較しやすい生体情報を取得できる。
【０１２７】
ここでは、簡単のために人体頭部の表面が、大脳皮質とその上部組織の２層構造を持つものとして説明した。しかし、実際の人体頭部の表面は平坦ではなく、上部組織も均一で均質な層構造ではなく、大脳皮質の構造も複雑で個体差がある。精緻な計測分析が必要な場合は、被検者ごとに脳の構造をＭＲＩ（Ｍａｇｎｅｔｉｃ ｒｅｓｏｎａｎｃｅ ｉｍａｇｉｎｇ）などで測定して、実際の形状に合わせて近赤外光の伝播経路を精緻に計算することができる。あるいは、精度は落ちるが、標準的な脳のモデルを用いておおよその確からしい光路を計算することが可能である。いずれの方法を採用するかは、演算処理に要する時間と、用途および目的に合わせて選択すればよい。
【０１２８】
生体情報を計測する際、近赤外光の伝播経路の計算および推定をする必要は必ずしもない。生体情報検出装置１００に顔の向きと伝播経路の一通りのパターンを学習させておけば、顔の向き（すなわち、被検部への近赤外光の入射角度）を検出するだけで、伝播経路の情報を得ることができる。これにより、光出射部の位置と信号の増減率を推定し、生体情報の取得位置の補正および信号強度の補正を行うことができる。
【０１２９】
このように、演算回路２００は、被検部の傾き、および予測した伝播経路の少なくとも一方に基づいて、被検部から出射する光の強度または当該強度の基準値からの変化の割合（増減率）を予測することができる。演算回路２００は、予測した当該強度または当該強度の変化の割合が所定の値（第１閾値）よりも小さいとき、生体情報の信号強度を大きくして出力する。逆に、演算回路２００は、予測した当該強度または当該強度の変化の割合が他の所定の値（第２閾値）よりも大きいとき、生体情報の信号強度を大きくして出力する。
【０１３０】
ここまで、近赤外光の伝播経路をシュミレーションし、生体情報の取得位置の補正および生体情報の信号強度の補正を行う方法を説明したが、実測したデータに基づいて補正することも可能である。例えば、同じ脳活動の状態で、様々な角度で計測を行い、基準となる角度における測定結果に合うように、その他の角度における顔の各特徴点の変位量および信号強度の補正係数を求める事前学習を行ってもよい。そのような事前学習を行っておけば、生体情報検出装置１００は、被検部までの距離および向き（傾斜角度）を検出することで、目的とする対象領域の位置と信号の増減率とを決定することができる。
【０１３１】
（実施形態３）
図１０は、本開示の実施形態３の生体情報検出装置１００の構成を模式的に示す図である。本実施形態における生体情報検出装置は、２つの光源１１０、１１１を備えている。２つの光源１１０、１１１は演算回路２００に接続されている。
【０１３２】
光源１１０と光源１１１とは異なる波長帯域の光を出射する。光源１１０および光源１１１が出射する光の波長は、例えば前述の６５０ｎｍおよび８３０ｎｍであり得る。しかし、この波長の組み合わせに限定されず、種々の組み合わせを採用することができる。本実施形態のように計測対象が生体組織である場合には、図２に示すように、波長が８０５ｎｍより大きいときは酸化ヘモグロビンによる吸光度が還元ヘモグロビンによる吸光度に比べて大きい。一方、波長８０５ｎｍ未満では、その逆の特性を示す。したがって、例えば、光源１１０が７５０ｎｍ近辺の波長の光を発光し、光源１１１が８５０ｎｍ近辺の波長の光を発光するとする。この場合、光源１１０からの光による内部散乱成分Ｉ２と光源１１１からの光による内部散乱成分Ｉ２の各光パワーを計測すれば所定の連立方程式を解くことによりＨｂＯ2およびＨｂの血中濃度初期値からの変化量を求めることができる。
【０１３３】
演算回路２００は、光源１１０からの光による内部散乱成分Ｉ２と光源１１１からの光による内部散乱成分Ｉ２の各光パワーを用いて連立方程式を解くことにより、例えばＨｂＯ2およびＨｂの血中濃度初期値からの変化量を算出する。演算回路２００とは別に、その連立方程式を解く演算回路（不図示）を別個に設けても構わない。
【０１３４】
上記の例では、光源の数は２つであるが、出射光の波長帯域の異なる３つ以上の光源を使用してもよい。あるいは、光の波長帯域を変更可能な光源を用いてもよい。そのような構成によれば、血液に関するより多くの生体情報を取得することができる。
【０１３５】
図１１は、光検出器１４０とは別のイメージセンサ１４１をさらに備えた生体情報検出装置１００の構成例を模式的に示す図である。このように、生体情報検出装置１００は、光検出器１４０とは独立した別のイメージセンサ１４１を備えていてもよい。この構成によれば、光検出器１４０は、例えば生体情報計測に特化したセンサとして用いられる。被検部の位置および距離の検出は、イメージセンサ１４１からの出力信号に基づいて行われ得る。演算回路２００は、イメージセンサ１４１の出力信号に基づいた動画像を用いて被検者の動きを検出してもよい。あるいは、演算回路２００は、光検出器１４０の出力信号に基づいて距離を検出し、イメージセンサ１４１の出力信号に基づいて位置を検出してもよいし、その逆であってもよい。本明細書において、光検出器１４０を「第１光検出器」と称し、イメージセンサ１４１を「第２光検出器」と称することがある。また、第１光検出器から出力される電気信号を「第１電気信号」と称し、第２光検出器から出力される電気信号を「第２電気信号」と称することがある。
【０１３６】
本実施形態による生体情報検出装置１００は、脳血流以外の生体情報を計測することもできる。以下に幾つかの具体例を説明する。
【０１３７】
血流量が変化すると光の反射率が変わる。これを利用して、例えば顔および手などの露出した被検部に近赤外光を照射し、反射光を検出することにより、脈拍数や集中度を非接触で計測することができる。演算回路２００は、上述した図６に示されるフローに従って、被検部の位置および距離を検出した後で、生体情報の信号強度を補正することができる。
【０１３８】
図１２は、計測によって取得される脈波の一例を模式的に示している。脈拍数を計測する場合、演算回路２００は、周期的な曲線を有する脈波を、例えば光検出器１４０からの出力信号に基づいて生成する。例えば演算回路２００は、脈波の極大値をカウントし、図示されるように、隣接する２つの極大値の間の時間差（「脈波の周期」と表記する）を算出する。演算回路２００は、脈波の周期を逆数に変換して脈拍数を算出する。
【０１３９】
演算回路２００は、その脈波の周期の分散を所定期間において計測し、集中またはリラックスしているといった精神状態を判定することができる。一般に、集中または緊張しているときは、脈波の周期が一定に近づき、リラックスしているときは、脈波の周期が変動し易い傾向がある。そこで、演算回路２００は、周期の分散が所定値未満であれば、被検者Ｏは集中状態または緊張状態にあると判断する。呼吸に合わせて、その分散は次第に大きくなり所定値を超えることがある。その場合、演算回路２００は、被検者Ｏはリラックス状態にあると判断することができる。
【０１４０】
さらに、生体情報検出装置１００を用いて、血管年齢および血圧などを非接触で計測することもできる。具体的には、生体情報検出装置１００を用いて脈波伝播速度（ＰＷＶ）を計測する。顔および手などの脈波を計測し、脈波の時間差をそれらの間の距離で除算することでＰＷＶが得られる。
【０１４１】
例えば顔および手の露出した２箇所の被検部に近赤外光を照射し、反射光を検出することにより、ＰＷＶを求めることができる。あるいは、例えば手および足首の露出した２箇所の被検部に近赤外光を照射し、反射光を検出することにより、ＰＷＶを求めることができる。なお、２箇所の被検部として、互いに離れている箇所を任意に指定することができる。血管年齢および血圧をＰＷＶに基づいて非接触で計測することが可能になる。演算回路２００は、上述した図６に示されるフローに従って、２箇所の被検部の位置および距離を検出した後で、生体情報の信号レベルを適切に補正する。
【０１４２】
図１３は、例えば顔および手の２点から得られる脈波ａ、ｂを模式的に示している。計測点Ａは顔に位置し、計測点Ｂは手に位置する。例えば、演算回路２００の演算回路２００は、計測点ＡおよびＢの脈波の立ち上がり点における時間差ΔＴおよび２点間の距離Ｄを用いて、下記の式（１）からＰＷＶを算出する。
ＰＷＶ＝Ｄ／ΔＴ          式（１）
【０１４３】
演算回路２００は、ＰＷＶに基づいて血管年齢および血圧を推定することができる。例えば、ＰＷＶの平均値を年齢（世代）毎に示すテーブルが予めＲＯＭ１５２に格納されている。演算回路２００は、そのテーブルを参照して、計測で得られたＰＷＶ値はどの年齢の平均値に最も近いかを特定し、被検者Ｏの血管年齢を推定することができる。また、演算回路２００は、ＰＷＶから血圧を推定することができる。例えば非特許文献１に開示されているＰＷＶを用いた血圧の推定方法を利用することができる。
【０１４４】
接触型の計測装置を用いると、身体に対するセンサ部分の、取り付けまたは押し当ての仕方などが計測結果に影響を及ぼし得る。本実施形態のように非接触で計測できれば、このような課題は解決され、かつ、計測の簡便化に繋がる。
【０１４５】
本実施形態によれば、演算回路２００は、被検部の位置および距離に応じて生体情報の信号強度を適切に調整する。このため、計測中、被検者Ｏは装置に拘束されることなく、比較的自由な姿勢で過ごすことができる。また、高品質な信号が得られるため、ＳＮ比を改善することができる。さらに、演算回路２００は被検者Ｏの動きを監視しているので、計測中に被検者Ｏが多少動いても、生体情報を安定して計測することができる。そのため、例えば被検者Ｏは作業をしながら計測を受けることができる。
【０１４６】
（実施形態４）
次に、実施形態４における生体情報計測モジュールを説明する。本実施形態における生体情報計測モジュールは、例えばタブレット端末、スマートフォン、またはノートＰＣ（ラップトップ）などの汎用の携帯電子機器に外付けして使用されるアタッチメントである。以下、実施形態１による生体情報検出装置１００と異なる点を中心に説明し、共通する部分の説明は省略する。
【０１４７】
図１４Ａは、本実施形態における生体情報計測モジュール３００が取り付けられた電子機器４００の例を模式的に示す図である。図示されるように、生体情報計測モジュール３００は、電子機器４００に接続されて使用される。モジュール３００は、光源１１０と、光検出器１４０とを有している。図１４Ａには示されていないが、モジュール３００の筐体の内部に、ＭＥＭＳミラーなどの光学素子１２０と、制御回路とが設けられている。図１４Ａの例ではモジュール３００が電子機器４００の下部に接続されているが、これに限定されない。接続される位置は、電子機器４００が有するコネクタの位置に依存する。本実施形態では、電子機器４００が有するカメラ４５０によって取得される動画像の情報を利用することができる。また、電子機器４００が有する信号処理回路（演算回路）を用いて、実施形態１から３のいずれかと同様の生体情報の生成および補正処理を行うことができる。
【０１４８】
このような構成により、例えば、光源１１０および生体情報計測に特化した（即ち近赤外光を検出する）光検出器１４０を備えたモジュール３００を、タブレット端末またはスマートフォンなどの電子機器４００に装着するという新たな使用方法が可能になる。電子機器４００に内蔵されているカメラ４５０によって被検者Ｏの被検部の位置および動きを検出し、その検出信号に基づいて、モジュール３００における制御回路が光源１１０の出射方向およびパワーを調整するといった動作が行われ得る。
【０１４９】
タブレット端末またはスマートフォンなどの機器に内蔵されているカメラ４５０は、通常、赤外（ＩＲ）カットフィルタをイメージセンサの前面に備えている。このため、カメラ４５０で赤外光を受光することはできない。一方、モジュール３００の光検出器１４０は、生体情報の計測に適した近赤外光を検出するために、赤外カットフィルタを備えず、逆に可視光カットフィルタを備え得る。したがって、生体情報の検出はモジュール３００の光検出器１４０によって行われ、可視光でも検出可能な被検部の位置および距離の特定は電子機器４００のカメラ４５０によって行われ得る。
【０１５０】
図１４Ｂは、本実施形態における生体情報計測モジュール３００および電子機器４００の構成を模式的に示すブロック図である。生体情報計測モジュール３００は、光源１１０と、光学素子１２０と、光学系１３０（不図示）と、光検出器１４０と、制御回路１５５Ａと、ＲＯＭ１５２と、ＲＡＭ１５３と、外部の電子機器４００に光検出器１４０の出力信号を送信するための入出力インタフェース（Ｉ／Ｆ）２５０とを有する。モジュール３００は、図示されるように、モジュールとして動作するための最低限のコンポーネントを有していればよい。
【０１５１】
電子機器４００は、カメラ４５０の他に、ディスプレイ４５６と、制御回路４５４と、演算回路２００Ａと、ＲＯＭ４５２と、ＲＡＭ４５３と、入出力インタフェース４４０とを備える。制御回路４５４は、例えばＣＰＵであり、演算回路２００Ａは、例えば画像処理用のデジタルシグナルプロセッサ（ＤＳＰ）を含み得る。演算回路２００Ａは、カメラ４５０によって取得された画像の解析を行う。制御回路４５４は、ディスプレイ４５６の表示の制御等を行う。制御回路４５４および演算回路２００Ａは、予めインストールされたコンピュータプログラム（アプリケーション）を実行することにより、モジュール３００と連携した動作を行う。例えば、制御回路４５４は、生体情報の計測動作を行う際、モジュール３００の制御回路１５５Ａに、光源１１０、光学素子１２０、および光検出器１４０を用いた生体情報の計測を実行させる。並行して、制御回路４５４は、カメラ４５０に被検者Ｏを撮影させ、演算回路２００Ａに被検部の位置および距離の計測および生体情報の生成を実行させる。演算回路２００Ａが実行する処理は、実施形態１から３で説明した通りである。
【０１５２】
出力Ｉ／Ｆ２５０は、例えばＵＳＢインタフェースであり得る。出力Ｉ／Ｆは、その他のインタフェース、例えば、例えばＷｉ−Ｆｉ（登録商標）規格やＺｉｇＢｅｅ（登録商標）規格に準拠した無線通信用インタフェースであってもよい。
【０１５３】
生体情報計測モジュール３００は、例えば出力Ｉ／Ｆ２５０に接続されたＵＳＢケーブルを介して外部の電子機器４００に接続することができる。電子機器４００には、本開示における信号処理（例えば図６に示す処理）を実行するアプリケーションがインストールされる。これにより、電子機器４００のプロセッサ（制御回路４５４および演算回路２００Ａを含む。）は、生体情報計測モジュール３００から光検出器１４０の出力信号を受け取り、その出力信号に基づいて生体情報を計測することができる。また、その生体情報に基づいて被検者の心理状態を推定することができる。
【０１５４】
本実施形態によれば、外部の電子機器４００に着脱可能な生体情報計測モジュールが提供される。
【０１５５】
（実施形態５）
次に、本開示の技術を適用した学習システムの実施形態を説明する。
【０１５６】
図１５Ａは、被検者である学習者Ｏが、電子機器４００を用いて学科（例えば算数、国語など）の問題を解いている様子を示す図である。本実施形態における電子機器４００は、タブレット型コンピュータ（以下、タブレットＰＣと称する。）である。電子機器４００は、タブレットＰＣ以外にも、例えば携帯電話、スマートフォン、ノートＰＣ（ラップトップ）、電子書籍端末、電子辞書、または電子ノートなどの、ディスプレイを有する任意の機器であり得る。
【０１５７】
この電子機器４００は、実施形態４におけるモジュール３００が取り付けられた汎用端末でもよいし、モジュール３００の機能が内蔵された専用端末であってもよい。
【０１５８】
図示されるようなタブレットＰＣを用いた教育システムは、例えば学校もしくは塾などの教育機関、または家庭で用いられ得る。タブレットＰＣのディスプレイに算数または国語などの教科の問題を表示するアプリケーションを用いて、学習者Ｏ（例えば児童）は学習を行う。
【０１５９】
電子機器４００には、学科の問題を表示するアプリケーション（ソフトウェア）が予めインストールされる。当該アプリケーションは、例えばインターネットなどの電気通信回線を介してダウンロードされ得る。当該アプリケーションを電子機器４００のプロセッサ（制御回路および演算回路を含む。）が実行することにより、問題の表示、解答後の正解および解説の表示、および次の問題への遷移といった動作が実現する。
【０１６０】
本実施形態における電子機器４００の制御回路は、学習者Ｏが問題を解いている間の脳の血流量、血中酸素飽和度、または脈波の周期の分散などの生体情報を検出することによって学習者Ｏの集中度を監視する。集中度の判定方法は、実施形態１で説明したとおりである。電子機器４００の制御回路は、学習者Ｏの集中度の低下を検出すると、例えばディスプレイに興味を惹く情報を表示したり、やさしい問題を表示したりして、集中度の低下を防ぐ。これにより、学習効果を高めることができる。
【０１６１】
本実施形態のような学習システムにおいて、学習者Ｏが問題を解いている間、学習者Ｏが常に静止しているということはない。特に、問題がわからなかったり、集中力に欠けていたりするときには、学習者Ｏの頭や体がよく動く傾向がある。図１５Ｂは、図１５Ａの状態から、学習者Ｏの頭部が動いた状態の例を示している。学習者Ｏの頭が移動すると、電子機器４００と被検部（額）との間の距離も変化し得る。このような場合、従来技術では、光源からの光が額に到達しなかったり、額に到達したとしても、距離の変化によって検出精度が低下したりするという問題が生じる。
【０１６２】
これに対して、本実施形態の電子機器４００の演算回路は、学習者Ｏの額の位置と、額までの距離と、額の傾斜角度とを検出し、その位置、距離、傾斜角度に応じて光の出射方向を調整し、かつ、取得する生体情報の信号強度を適切に補正する。これにより、集中度を適切に計測することができる。このような調整を、例えば発光中の所定時間ごとに行うようにすれば、額の動きに追従して常に適切な生体情報を生成することができる。
【０１６３】
本実施形態における電子機器４００は、実施形態１〜３のいずれかの生体情報検出装置１００を備えている。電子機器４００は、被検者Ｏの額に赤外光を照射し、ＮＩＲＳを利用して被検者Ｏの学習の集中度を推定する。被検者Ｏは、スタイラスを持って操作しながら、電子機器４００の表示画面に表示された問題を解いて学習する。上述したように、被検者Ｏが問題を解いているとき、神経細胞の活動によって、被検者Ｏの集中度に応じて脳血流量等が変化する。演算回路２００は、その変化に基づいて、被検者Ｏの集中度を推定する。例えば前述のように、テーブルを参照して集中度を判定することができる。
【０１６４】
また、その集中度の時間的変化から学習の習熟度を推定することができる。数学の因数分解の学習を例に挙げて説明する。被検者は、学習の初めに因数分解の公式とその適用の仕方を学ぶ。初めのうちは慣れないために集中度が大きく脳血流量の時間的な変化量が大きい。問題をこなすに従って、公式の適用にも慣れてくるので解答時間が速くなるとともに脳血流量の時間変化量が減少していく。脳血流量の変化曲線の時間的推移から、学習の習熟度を判定することができる。脳血流の変化の時間的推移に加えて、解答時間の短縮度を示す情報も併用すると判定の精度が上がる。
【０１６５】
電子機器４００の利用者である被検者Ｏの頭部の変動量は、問題の難易度に応じて変化することが想定される。例えば、被検者Ｏが課題を解いているとき、頭部の角度が、図１５Ａに示す角度から図１５Ｂに示す角度に変わったとする。その場合でも、演算回路２００は被検者Ｏの動きを監視しているので、その動きを検知すると、生体情報の信号強度を補正する。
【０１６６】
本実施形態によれば、被検者Ｏが作業しながらでも、被検部において適正な位置に光を照射でき、かつ、生体情報を安定して計測することができる。
【０１６７】
（実施形態６）
次に、実施形態６における対話型ロボットを説明する。
【０１６８】
図１６は、実施形態６によるロボット５００および被検者である対話者Ｏを模式的に示す図である。図１７は、ロボット５００の構成例を示す図である。
【０１６９】
本実施形態のロボット５００は、その頭部に実施形態１〜３のいずれかの生体情報検出装置１００と同様の構成要素を搭載している。ロボット５００は、被検者Ｏの額の位置および距離を検出し、額に向けて光を照射し、かつＮＩＲＳを利用して被検者Ｏの生体情報を生成して感情を推定する。ロボット５００は、被検者Ｏの動きに追従して頭部を動かすことにより、光の照射位置を調整することができる。対話中、ロボット５００は相手の方向を向くので、頭部を動かすことによって光の照射位置を調整することは自然な行為である。
【０１７０】
図１７に示すように、ロボット５００は、実施形態１において説明した構成要素の他に、頭部を含む各部を駆動する少なくとも１つのモータ５２０と、音声を出力するスピーカ５３０と、対話者Ｏが発した音声を検出するマイク５４０と、カメラ５５０と、各部を制御する制御回路５１０とを備えている。本実施形態においても、演算回路２００は、実施形態１から３のいずれかにおける演算回路２００と同様の動作を行うことにより、対話者Ｏにおける被検部（例えば額）の位置および被検部までの距離を検出する。そして、光検出器１４０の検出結果に基づいて、脳血流量などの生体情報を計測する。その生体情報に基づいて、モータ５２０およびスピーカ５３０などの要素を制御するための制御信号を生成する。ロボット５００は、その制御信号に基づいて、様々な動作を行うことができる。例えば、スピーカ５３０およびマイク５４０を用いた音声の対話中に、対話者Ｏの集中度が低下していることを検出した場合には、話題を変更したり、音声対話を停止したりすることができる。ロボット５００は、対話中、相手の感情を推定する。具体的には、演算回路２００は、神経活動に起因した脳血流の変化に基づいて感情を推定する。例えば、演算回路２００は、脳血流の変化と感情（例えば、安心、不安、悲しみ、憤りなど）との関係を対応付けたテーブルを参照することで感情を推定することができる。ロボット５００は、感情の推定結果に応じて、例えば対話者との話題を変更することができる。
【０１７１】
制御回路５１０は、被検部の位置および距離に応じて頭部の動きを制御することにより、光の出射方向を調整することができる。さらに、ロボット５００の頭部と、光源１１０の前方に配置される光学素子１２０とを組み合わせて光の出射方向を制御してもよい。例えば、先ず頭部の動きを制御して、光の出射方向を粗調整した後で、光源ユニット１７０を制御し、光の出射方向を微調整することができる。光学素子１２０は不要であれば省略してもよい。
【０１７２】
本実施形態の動作を規定したプログラム（アプリ）は、例えば電気通信回線を通じてダウンロードされ、ロボット５００にインストールされ得る。これにより、アプリの更新によって動作の改善を行なったりすることもできる。
【０１７３】
本実施形態によると、ロボットとの対話において適切なコミュニケーションが図れる。
【０１７４】
（実施形態７）
図１８は、実施形態７による車両６００の車内を模式的に示している。
【０１７５】
本実施形態による車両６００は、例えばドライブレコーダが取り付けられる位置またはその近傍に実施形態における生体情報検出装置１００を備えている。生体情報検出装置１００は、車両６００の取付部６１０に取り付けることができる。運転者が生体情報検出装置１００を自由に着脱することができる。車両６００は、自動車のみならず、電車その他の運転が必要な移動体を含む。本実施形態においては、被検者Ｏは運転者である。
【０１７６】
生体情報検出装置１００は、被検者Ｏの額に赤外光を照射し、ＮＩＲＳを利用して被検者Ｏの集中度や健康状態を推定する。車両６００は、車両６００の動作を制御する制御回路６２０を備えている。制御回路６２０は、生体情報検出装置１００の演算回路２００からの生体情報に基づいて車両６００の制御信号を生成する。あるいは、演算回路２００が生体情報に基づいて車両６００の制御信号を生成し、制御回路６２０が、その制御信号に基づいて車両６００を制御してもよい。車両は、例えば自動運転モードを備える。車両が手動運転で走行中であれば、車両は、制御信号を受けて、走行モードを手動運転から自動運転に切り替えることができる。例えば、運転者Ｏの集中度が低下したことを検出した場合、運転者Ｏが居眠りをしている可能性がある。そこで、手動運転から自動運転に切り替えることにより、安全性を確保できる。
【０１７７】
生体情報検出装置１００をカーナビゲーションシステムと連動させることもできる。例えば、生体情報検出装置１００は、運転者が集中を欠いていると判定したとき、カーナビゲーションシステムにその情報を送信することができる。カーナビゲーションシステムは、例えば音声スピーカや表示画面を用いて集中力が欠けている旨の警告を行うことができる。なお、生体情報検出装置１００は常に運転者に赤外光を照射する必要はなく、例えばカーナビゲーションシステムの指示（「１００ｍ先の交差点を右に曲がります」等）をトリガーに、運転者に赤外光を照射して運転者の集中度を判定してもよい。カーナビゲーションの音声指示があっても、脳血流に変化が見られないときは、集中度が欠けている可能性が高い。
【０１７８】
（実施形態８）
図１９は、実施形態８による環境制御装置７００の外観を模式的に示している。
【０１７９】
本実施形態による環境制御装置７００は生体情報検出装置１００を備えている。環境制御装置７００は、例えばエアコンディショナーおよびオーディオであり得る。このような、使用者の周囲の環境（温度、音、光、湿度、匂い等）を制御することのできる装置を、本明細書では「環境制御装置」と称する。本実施形態においては、被検者Ｏは環境制御装置７００の一人または複数の利用者であり得る。
【０１８０】
環境制御装置７００は、被検者Ｏの額に赤外光を照射し、ＮＩＲＳを用いて被検者Ｏの心理状態、具体的には、気分や温度感覚を推定する。
【０１８１】
生体情報検出装置１００の演算回路２００は、被検者Ｏの動きを監視し、先ずは被検者Ｏを特定する。演算回路２００はその後、被検者Ｏの被検部（例えば額）の位置を画像認識によって特定する。その位置に基づいて、光源は、その額への赤外光の照射を開始する。
【０１８２】
環境制御装置７００は制御回路７１０を備えている。制御回路７１０は、生体情報検出装置１００の演算回路２００からの生体情報に基づいて環境制御装置７００の制御信号を生成する。あるいは、演算回路２００が生体情報に基づいて環境制御装置７００の制御信号を生成し、制御回路７１０が、その制御信号に基づいて環境制御装置７００を制御してもよい。例えば、生体情報検出装置１００が被検者Ｏの不快感を検知したとする。環境制御装置７００がエアコンディショナーである場合には、環境制御装置７００は、電源を自動でオンにして運転を開始したり、運転中は設定温度を下げたり上げたりすることができる。環境制御装置７００がオーディオ機器である場合、環境制御装置７００は音量を自動で下げてもよいし、例えば、リラックス効果が期待される音楽（クラシック音楽等）を自動で選曲してもよい。
【０１８３】
以上の実施形態では、主に近赤外光および赤色光をプローブとする例を説明したが、そのような例に限定されない。本開示の技術は、例えば、マイクロ波などの他の波長の電磁波を使用した生体内部の情報取得に適用することも可能である。
【産業上の利用可能性】
【０１８４】
本開示の技術は、生体情報を非接触で計測する用途、例えば、医療機器、ロボット、車両、および電子機器等に利用できる。
【符号の説明】
【０１８５】
１１  光入射部
１２  計測対象部位
１３  光出射部
２２  計測対象部位
２３  光出射部
２４  光出射部
１００    生体情報検出装置
１１０    光源
１２０    光学素子
１３０    光学系
１４０    光検出器
１５０    装置本体
１８０    ＣＰＵ
１５２    ＲＯＭ
１５３    ＲＡＭ
１６０    表示装置
１７０    光源ユニット
２００    演算回路
２５０    出力Ｉ／Ｆ
３００    生体情報計測モジュール
４００    電子機器
５００    ロボット
６００    車両
７００    環境制御装置
【図１Ａ】
2017144225.tif 000003
【図１Ｂ】
2017144225.tif 000004
【図１Ｃ】
2017144225.tif 000005
【図２】
2017144225.tif 000006
【図３】
2017144225.tif 000007
【図４Ａ】
2017144225.tif 000008
【図４Ｂ】
2017144225.tif 000009
【図４Ｃ】
2017144225.tif 000010
【図４Ｄ】
2017144225.tif 000011
【図５Ａ】
2017144225.tif 000012
【図５Ｂ】
2017144225.tif 000013
【図６】
2017144225.tif 000014
【図７】
2017144225.tif 000015
【図８Ａ】
2017144225.tif 000016
【図８Ｂ】
2017144225.tif 000017
【図９Ａ】
2017144225.tif 000018
【図９Ｂ】
2017144225.tif 000019
【図１０】
2017144225.tif 000020
【図１１】
2017144225.tif 000021
【図１２】
2017144225.tif 000022
【図１３】
2017144225.tif 000023
【図１４Ａ】
2017144225.tif 000024
【図１４Ｂ】
2017144225.tif 000025
【図１５Ａ】
2017144225.tif 000026
【図１５Ｂ】
2017144225.tif 000027
【図１６】
2017144225.tif 000028
【図１７】
2017144225.tif 000029
【図１８】
2017144225.tif 000030
【図１９】
2017144225.tif 000031
【図２０】
2017144225.tif 000032